(57)【要約】【課題】コストを低減することができる拡張現実提供装置を提供する。【解決手段】画像情報に応じてスマートフォンＳから出射される画像光を反射するミラー４０と、ミラー４０で反射された光を後側へ反射させると共に、現実空間からの光を前側から後側へと透過させることで、画像光に対応する画像と現実空間とを重ね合わせるスモークアクリル板５０と、ミラー４０及びスモークアクリル板５０を支持すると共に、現実空間からの光をスモークアクリル板５０の前下側面に向けて導入する前側開口部２１ａ、及びスモークアクリル板５０の後上側面を外部から視認可能とする後側開口部２１ｂを有する筐体１０と、を具備する。【選択図】図５
0003202424.tif 000002
【実用新案登録請求の範囲】
【請求項１】
画像情報に応じて画像出力手段から出射される画像光を反射する反射手段と、
前記反射手段で反射された光を一側面側へ反射させると共に、現実空間からの光を他側面側から前記一側面側へと透過させることで、前記画像光に対応する画像と前記現実空間とを重ね合わせる重畳手段と、
前記反射手段及び前記重畳手段を支持すると共に、前記現実空間からの光を前記重畳手段の前記他側面に向けて導入する第一の開口部、及び前記重畳手段の前記一側面を外部から視認可能とする第二の開口部を有する筐体と、
を具備する拡張現実提供装置。
【請求項２】
前記筐体は、
折り曲げられたダンボール紙又は厚紙によって構成される、
請求項１に記載の拡張現実提供装置。
【請求項３】
前記筐体は、
前記画像出力手段としてのスマートデバイスを着脱自在に取付可能な取付部を有する、
請求項１又は請求項２に記載の拡張現実提供装置。
【請求項４】
前記筐体は、
一端に前記第一の開口部が形成されると共に、他端に前記第二の開口部が形成される筒状部を有する第一の部材と、
前記重畳手段を挟持することで当該重畳手段の一方向への移動を規制する規制部を有する第二の部材と、
を具備し、
前記規制部は、
前記一方向を前記筒状部の軸線方向に向けた状態で、当該筒状部に挿入されている、
請求項１から請求項３までのいずれか一項に記載の拡張現実提供装置。
【考案の詳細な説明】
【技術分野】
【０００１】
本考案は、現実空間に仮想的な情報を重ね合わせた拡張現実を使用者に提供する拡張現実提供装置の技術に関する。
【背景技術】
【０００２】
従来、現実空間に仮想的な情報を重ね合わせた拡張現実を使用者に提供する拡張現実提供装置の技術が公知となっている。例えば、特許文献１に記載の如くである。
【０００３】
特許文献１に記載される拡張現実提供装置（拡張現実空間表示装置）は、表示素子及びプリズム等を具備する。プリズムは、表示素子が出力する画像光を反射させると共に現実空間から到来する外光を透過させることで、画像光及び外光を使用者の目に到達させる。これによって、前記拡張現実提供装置は、現実空間に表示素子の画像を重ね合わせた拡張現実を使用者に提供することができる。
【０００４】
前記拡張現実提供装置は、画像光をプリズムに直接当てて反射させる構成であるため、表示素子の画像が反転（左右反転）してしまう。当該反転を防止するための対策として、前記拡張現実提供装置においては、画像光を出射すると共に外光を透過する透過型ディスプレイを用いる構成が記載されている。しかしながら、このような透過型ディスプレイを用いた場合には、コストが増大してしまう。
【先行技術文献】
【特許文献】
【０００５】
【特許文献１】特開２０１４−２２８５９５号公報
【考案の概要】
【考案が解決しようとする課題】
【０００６】
本考案は、以上の如き状況を鑑みてなされたものであり、その解決しようとする課題はコストを低減することが可能な拡張現実提供装置を提供するものである。
【課題を解決するための手段】
【０００７】
本考案の解決しようとする課題は以上の如くであり、次にこの課題を解決するための手段を説明する。
【０００８】
即ち、請求項１においては、画像情報に応じて画像出力手段から出射される画像光を反射する反射手段と、前記反射手段で反射された光を一側面側へ反射させると共に、現実空間からの光を他側面側から前記一側面側へと透過させることで、前記画像光に対応する画像と前記現実空間とを重ね合わせる重畳手段と、前記反射手段及び前記重畳手段を支持すると共に、前記現実空間からの光を前記重畳手段の前記他側面に向けて導入する第一の開口部、及び前記重畳手段の前記一側面を外部から視認可能とする第二の開口部を有する筐体と、を具備するものである。
【０００９】
請求項２においては、前記筐体は、折り曲げられたダンボール紙又は厚紙によって構成されるものである。
【００１０】
請求項３においては、前記筐体は、前記画像出力手段としてのスマートデバイスを着脱自在に取付可能な取付部を有するものである。
【００１１】
請求項４においては、前記筐体は、一端に前記第一の開口部が形成されると共に、他端に前記第二の開口部が形成される筒状部を有する第一の部材と、前記重畳手段を挟持することで当該重畳手段の一方向への移動を規制する規制部を有する第二の部材と、を具備し、前記規制部は、前記一方向を前記筒状部の軸線方向に向けた状態で、当該筒状部に挿入されているものである。
【考案の効果】
【００１２】
本考案の効果として、以下に示すような効果を奏する。
【００１３】
請求項１においては、コストを低減することができる。
【００１４】
請求項２においては、コストを低減することができる。
【００１５】
請求項３においては、コストを低減することができる。
【００１６】
請求項４においては、コストを低減することができる。
【図面の簡単な説明】
【００１７】
【図１】拡張現実提供装置を示す斜視図。
【図２】同じく側面断面図。
【図３】（ａ）外側部材を示す斜視図。（ｂ）同じく、平面図。
【図４】（ａ）内側部材を示す斜視図。（ｂ）同じく、平面図。
【図５】現実空間からの光及び画像光を示す側面断面図。
【図６】長手部材が展開図に沿って切り離される様子を示す平面図。
【図７】長手部材から切り離された外側部材を示す平面図。
【図８】組み立て途中の外側部材を示す斜視図。
【図９】長手部材から切り離された内側部材を示す平面図。
【図１０】組み立て途中の内側部材を示す斜視図。
【考案を実施するための形態】
【００１８】
以下では、図中の矢印Ｕ、矢印Ｄ、矢印Ｆ、矢印Ｂ、矢印Ｌ及び矢印Ｒで示した方向を、それぞれ上方向、下方向、前方向、後方向、左方向及び右方向と定義して説明を行う。
【００１９】
以下では、本考案の一実施形態に係る拡張現実提供装置１について説明する。
【００２０】
拡張現実提供装置１は、現実空間に仮想的な情報を重ね合わせた拡張現実を使用者に提供するためのものである。図１及び図２に示すように、拡張現実提供装置１は、筐体１０、ミラー４０及びスモークアクリル板５０を具備する。
【００２１】
筐体１０は、使用者が覗き込んで拡張現実を視認するためのものである。筐体１０は、外側部材２０及び内側部材３０を具備する。
【００２２】
外側部材２０は、略箱状に形成される部材である。外側部材２０は、前方向に延びると共に当該延びた端部が上方向に延びるような側面視略Ｌ字状に形成される。外側部材２０は、ダンボール紙によって構成される。図２及び図３に示すように、外側部材２０は、筒状部２１、接続部２２及び取付部２３を有する。
【００２３】
筒状部２１は、その軸線方向を前後方向に向けて配置される。筒状部２１は、長手方向を左右方向に向けると共に短手方向を上下方向に向けた正面視略矩形状に形成される。筒状部２１には、前側開口部２１ａ、後側開口部２１ｂ、上側湾曲部２１ｃ、下側湾曲部２１ｄ及び切欠部２１ｅが形成される。
【００２４】
前側開口部２１ａは、筒状部２１の前端部で外部に開口する部分である。後側開口部２１ｂは、筒状部２１の後端部で外部に開口する部分である。
【００２５】
上側湾曲部２１ｃは、後側開口部２１ｂの上部に形成される。上側湾曲部２１ｃは、平面視略弧状に形成される。
【００２６】
下側湾曲部２１ｄは、後側開口部２１ｂの下部（上側湾曲部２１ｃの下方）に形成される。下側湾曲部２１ｄは、筒状部２１を平面視略弧状に切り欠くと共に、当該切り欠いた部分の左右中央部をさらに平面視略半円状に切り欠いたような形状に形成される。
【００２７】
切欠部２１ｅは、前側開口部２１ａの右上部（右側面の上部）に形成される。切欠部２１ｅは、長手方向を前後方向に向けると共に短手方向を上下方向に向けた側面視略矩形状に形成される。
【００２８】
接続部２２は、筒状部２１と後述する取付部２３とを接続する部分である。接続部２２は、筒状部２１の前部から上方向に延びるように形成される。接続部２２は、前部が開口する略箱状に形成される。接続部２２の下部は、筒状部２１の上部と連通するように接続される。接続部２２には、当接部２２ａ、前側切欠部２２ｂ及び下側切欠部２２ｃが形成される。
【００２９】
当接部２２ａは、後述するミラー４０と当接する部分である。当接部２２ａは、その下端部が前方向に向かうにつれて上方向に延びるような側面視略直角三角形状に形成される。当接部２２ａは、接続部２２の後側面と一体的に連続して形成される。当接部２２ａは、接続部２２の左端部及び右端部（より詳細には、接続部２２の左側面及び右側面のすぐ内側）にそれぞれ形成される。
【００３０】
前側切欠部２２ｂは、接続部２２の左側面及び右側面の前端部にそれぞれ形成される。前側切欠部２２ｂは、長手方向を上下方向に向けると共に短手方向を前後方向に向けた側面視略矩形状に形成される。前側切欠部２２ｂは、接続部２２の上端部から下部に亘って形成される。
【００３１】
下側切欠部２２ｃは、左右の前側切欠部２２ｂの後下端部にそれぞれ形成される。下側切欠部２２ｃは、長手方向を前後方向に向けると共に短手方向を上下方向に向けた側面視略矩形状に形成される。
【００３２】
取付部２３は、後述するスマートフォンＳが取り付けられる部分である。取付部２３は、接続部２２の前端部に形成される。取付部２３は、接続部２２の上側面から下方向に延びると共に当該延びた端部が後方向に延びるような側面視略Ｌ字状に形成される。また、取付部２３は、正面視略Ｔ字状に形成される。このような取付部２３と前側切欠部２２ｂとの間には、スマートフォンＳを取付可能な隙間が形成される。取付部２３には、係合部２３ａが形成される。
【００３３】
係合部２３ａは、取付部２３の下側面における左端部及び右端部から後方向にそれぞれ延びるように形成される。係合部２３ａは、接続部２２の下側切欠部２２ｃと係合する。より詳細には、取付部２３の下側面が下側切欠部２２ｃに差し込まれると共に、係合部２３ａが接続部２２の左右側面の外側にそれぞれ当接される。これによって、接続部２２の前部の開口が取付部２３によって閉塞されると共に、接続部２２の前部の開口に対する取付部２３の左右方向への移動（ずれ）が規制される。また、係合部２３ａと下側切欠部２２ｃとの係合を解除することで、接続部２２の前部の開口が開放される。
【００３４】
このような取付部２３に取り付けられるスマートフォンＳは、タッチパネル（不図示）が後方を向くように配置される。すなわち、スマートフォンＳは、その画像情報（画像ファイルや動画ファイルに対応する画像）に応じた画像光を後方向に出射する。また、図１に示すスマートフォンＳのレンズＳ１は、取付部２３から外部に露出すると共に、前方向を向けて配置される。
【００３５】
図２及び図４に示すように、内側部材３０は、略箱状に形成されると共に、外側部材２０に挿入される部材である。内側部材３０は、前方向に延びると共に当該延びた端部が上方向に延びるような側面視略Ｌ字状に形成される。内側部材３０は、その上部、前部及び後部が開口する。内側部材３０は、ダンボール紙によって構成される。内側部材３０は、嵌合部３１、突出部３２及び補強部３３を有する。
【００３６】
嵌合部３１は、外側部材２０の筒状部２１に嵌め合わされる部分である。嵌合部３１は、その下側面の左右両端部が上方向に延びるような正面視略Ｕ字状に形成される。嵌合部３１は、その前後方向幅が筒状部２１の前後方向幅と同一となるように形成される。また、嵌合部３１は、その正面視における外部形状が筒状部２１の正面視における内部形状よりも小さくなるように（より詳細には、筒状部２１の正面視における内部形状に沿うように）形成される。嵌合部３１には、湾曲部３１ａ及びスリット３１ｂが形成される。
【００３７】
湾曲部３１ａは、嵌合部３１の下側面における後端部に形成される。湾曲部３１ａは、外側部材２０の下側湾曲部２１ｄと同一形状に形成されると共に、下側湾曲部２１ｄと平面視で重なる位置に配置される。
【００３８】
スリット３１ｂは、後述するスモークアクリル板５０が嵌め込まれる部分である。スリット３１ｂは、嵌合部３１の左側面及び右側面における前部をそれぞれ切り欠いたような形状に形成される。スリット３１ｂは、外側部材２０の当接部２２ａの下端部と同一方向（前上方向）に延びるように形成される。スリット３１ｂは、当接部２２ａの略下方に配置される。
【００３９】
突出部３２は、嵌合部３１の左側面及び右側面における前部からそれぞれ上方向に突出する部分である。突出部３２は、外側部材２０の接続部２２の内部に配置される。突出部３２には、当接部３２ａが形成される。
【００４０】
当接部３２ａは、後述するミラー４０と当接する部分である。当接部３２ａは、突出部３２の後上端部を切り欠いたような形状に形成される。当接部３２ａは、スリット３１ｂと同一方向（前上方向）に延びるように形成される。当接部３２ａは、スリット３１ｂの上方に配置される。当接部３２ａは、外側部材２０の当接部２２ａと所定の隙間をあけた状態で対向するように形成される。
【００４１】
補強部３３は、取付部２３を補強する部分である。補強部３３は、その前側面の上端部及び下端部が後方向に延びるような側面視略Ｕ字状に形成される。補強部３３は、内側部材３０の前端部に形成される。補強部３３は、嵌合部３１と突出部３２とに亘るように形成される。すなわち、補強部３３は、その下側面が嵌合部３１に配置されると共にその上側面が突出部３２に配置される。補強部３３は、内側部材３０の左端部から右端部に亘って形成される。補強部３３には、切欠部３３ａ及び係合部３３ｂが形成される。
【００４２】
切欠部３３ａは、補強部３３の下側面における右後端部を切り欠いて形成される（図１０参照）。切欠部３３ａは、平面視略矩形状に形成される。切欠部３３ａは、外側部材２０の筒状部２１の切欠部２１ｅ（図３参照）に嵌め合わされる。
【００４３】
係合部３３ｂは、補強部３３の上側面における左端部及び右端部から後方向に延びるように形成される。係合部３３ｂは、外側部材２０の接続部２２の下側切欠部２２ｃと係合する（図３参照）。より詳細には、補強部３３の上側面が下側切欠部２２ｃに差し込まれると共に、係合部３３ｂが接続部２２の左右側面の外側にそれぞれ当接される。また、この状態においては、補強部３３ｂの上側面は、取付部２３の下側面と上下方向に重ね合わされる。
【００４４】
このような補強部３３は、外側部材２０の取付部２３の下側面を支持する。これにより、補強部３３は、取付部２３にスマートフォンＳが取り付けられた場合でも、取付部２３の形状を維持することができる。
【００４５】
図１及び図２に示すミラー４０は、スマートフォンＳからの画像光を反射するためのものである。ミラー４０は矩形板状に形成される。ミラー４０は、外側部材２０及び内側部材３０の当接部２２ａ・３２ａによって挟持される。これによって、ミラー４０は、筐体１０に支持されて、取付部２３（スマートフォンＳ）の後方に配置される。また、ミラー４０は、その板面を前下方向に向けて配置される。ミラー４０の反射面（光を反射することができる面）は、前下方向に向けられる。
【００４６】
スモークアクリル板５０は、透光性及び反射性の両特性を有する板状の部材である。スモークアクリル板５０は矩形板状に形成される。スモークアクリル板５０の左右方向の長さ（幅）は、筒状部２１の内側の左右方向の長さ（幅）と略同一となるように形成される。スモークアクリル板５０は、内側部材３０のスリット３１ｂに嵌め込まれる。これによって、スモークアクリル板５０は、スリット３１ｂに挟持され、前後方向の移動が規制される。また、スモークアクリル板５０は、その左端部及び右端部が外側部材２０の筒状部２１と当接する。これによって、スモークアクリル板５０は、スリット３１ｂから抜けないように筐体１０に支持される。このようなスモークアクリル板５０は、その板面をミラー４０と同一方向（前下方向）に向けて配置される。また、スモークアクリル板５０は、筒状部２１の軸線方向中途部に配置されることになるため、外部（前側開口部２１ａ及び後側開口部２１ｂ）から使用者が視認可能に配置される。
【００４７】
次に、図５を参照して拡張現実提供装置１の動作について説明する。なお、図５に実線で示す矢印は、現実空間からの光（以下、「外光」と称する）の進む方向を示している。また、図５に点線で示す矢印は、スマートフォンＳから出射される画像光の進む方向を示している。
【００４８】
拡張現実提供装置１は、使用者が筐体１０の後側開口部２１ｂから覗く形で使用される。筐体１０の筒状部２１には、前側開口部２１ａから外光が入射する。当該入射した外光は、筒状部２１を後方向に進む。当該外光は、スモークアクリル板５０に前側（前下側面）から入射する。スモークアクリル板５０は、当該外光を前側から後側（後上側面）へと透過させる。そして、透過された外光は、筒状部２１を後方向に進んで後側開口部２１ｂから出射する。
【００４９】
拡張現実提供装置１においては、このような状態でスマートフォンＳが動作される。このとき、スマートフォンＳは、画像情報に応じた画像光を後方向に出射する。
【００５０】
スマートフォンＳから出射された画像光は、ミラー４０によって下方向に反射される。当該反射された画像光は、スモークアクリル板５０の後側に入射する。スモークアクリル板５０は、当該画像光を後側へ反射する。スモークアクリル板５０で反射された画像光は、筒状部２１を後方向に進んで後側開口部２１ｂから出射する。
【００５１】
以上によって、拡張現実提供装置１は、外光及び画像光を使用者の目に導いて、現実空間に画像情報（仮想的な情報）を重ね合わせた仮想現実を使用者に視認させる（提供する）ことができる。
【００５２】
本実施形態に係る拡張現実提供装置１によれば、画像光をミラー４０及びスモークアクリル板５０で一回ずつ（合計二回）反射させて使用者の目に導くことができる。これによれば、画像光に対応する画像情報が上下反転することを防止できる。
【００５３】
また、本実施形態に係る筐体１０の外側部材２０には、上側湾曲部２１ｃ、下側湾曲部２１ｄ及び湾曲部３１ａが形成されている。これによって、使用者が覗く部分の形状を、使用者の眉間及び鼻に沿うような形状にすることができる。このため、筐体１０を使用者が覗き易くすることができる。
【００５４】
前述の如く、本実施形態に係る筐体１０には、外部に露出するレンズＳ１が前方向を向くようにスマートフォンＳが取り付けられている（図１参照）。これによって、例えば、当該スマートフォンＳで拡張現実提供装置１の前方を撮影し、その映像を用いた拡張現実を使用者に視認させることができる。
【００５５】
また、本実施形態に係る取付部２３は、正面視略Ｔ字状に形成されている。これによれば、スマートフォンＳのレンズＳ１を外部に露出し易くすることができる。
【００５６】
上述の如く構成された拡張現実提供装置１は、ダンボール紙を折り曲げる等して形成された筐体１０に、ミラー４０及びスモークアクリル板５０が取り付けられることによって構成される。以下では、図６から図１０を参照して、このような拡張現実提供装置１の組み立て手順について説明する。
【００５７】
まず、外側部材２０及び内側部材３０の組み立てについて説明する。外側部材２０及び内側部材３０は、図６に示す板状部材１１０から組み立てられる。板状部材１１０は、矩形状のダンボール紙によって構成される。板状部材１１０には、外側部材２０及び内側部材３０の展開図が記載される。板状部材１１０は、前記展開図に沿って切り離される。これによって、組み立て前の外側部材１２０及び内側部材１３０が得られる。なお、図６から図１０に示す一点鎖線は、組み立て前の外側部材１２０及び内側部材１３０を折り曲げる部分を示すものである。
【００５８】
図７に示す組み立て前の外側部材１２０は、一点鎖線で区画された複数の面を有する。より詳細には、組み立て前の外側部材１２０は、前記複数の面として、底面１２１、左側面１２２、右側面１２３、後頂面１２４、前頂面１２５、後側面１２６、前側面１２７及び係合面１２８等を有する。なお、図７に示す組み立て前の外側部材１２０は、図６で板状部材１１０から切り離された外側部材１２０を左右に反転させたものである。
【００５９】
底面１２１は、その長手方向を前後方向に向けると共にその短手方向を左右方向に向けた平面視略矩形状に形成される。底面１２１の後端部には、筒状部２１の下側湾曲部２１ｄが形成される。
【００６０】
左側面１２２は、底面１２１の左部に配置される。左側面１２２は、前方向に延びると共に当該延びた端部が左方向に延びるような平面視略Ｌ字状に形成される。左側面１２２の左前端部には、接続部２２の前側切欠部２２ｂが形成される。また、前側切欠部２２ｂの右端部には、接続部２２の下側切欠部２２ｃが形成される。
【００６１】
右側面１２３は、底面１２１を挟んで左側面１２２と略左右対称となるように形成される。右側面１２３の前端部には、筒状部２１の切欠部２１ｅ、並びに接続部２２の前側切欠部２２ｂ及び下側切欠部２２ｃが形成される。切欠部２１ｅは、前側切欠部２２ｂ及び下側切欠部２２ｃの左方に配置される。
【００６２】
後頂面１２４は、左側面１２２の左後部に配置される。後頂面１２４は、その長手方向を左右方向に向けると共にその短手方向を前後方向に向けた平面視略矩形状に形成される。後頂面１２４の後端部には、筒状部２１の上側湾曲部２１ｃが形成される。
【００６３】
前頂面１２５は、右側面１２３の右部に配置される。前頂面１２５は、その長手方向を左右方向に向けると共にその短手方向を前後方向に向けた平面視略矩形状に形成される。
【００６４】
後側面１２６は、前頂面１２５の後部に配置される。後側面１２６は、その長手方向を前後方向に向けると共にその短手方向を左右方向に向けた略正方形状に形成される。後側面１２６の左部及び右部には、接続部２２の当接部２２ａがそれぞれ形成される。
【００６５】
前側面１２７は、前頂面１２５の前部に配置される。前側面１２７は、平面視略逆Ｔ字状に形成される。
【００６６】
係合面１２８は、前側面１２７の前部に配置される。係合面１２８は、その長手方向を左右方向に向けると共にその短手方向を前後方向に向けた平面視略矩形状に形成される。係合面１２８の左端部及び右端部には、取付部２３の係合部２３ａが形成される。係合部２３ａは、係合面１２８から前方向に延びるように形成される。
【００６７】
図７及び図８に示すように、このように構成される組み立て前の外側部材１２０は、底面１２１から立ち上がるように左側面１２２及び右側面１２３が折り曲げられる。そして、後頂面１２４は、底面１２１と対向するように折り曲げられる。このような底面１２１、左側面１２２（図８における左側面１２２の下部）、右側面１２３（図８における右側面１２３の下部）及び後頂面１２４によって筒状部２１が形成される。
【００６８】
前頂面１２５及び後側面１２６は、前記折り曲げられた左側面１２２及び右側面１２３の上部及び後部を閉塞するように折り曲げられる。これにより、後側面１２６に対して折り曲げられた当接部２２ａは、左側面１２２及び右側面１２３の内側に配置される。このような左側面１２２（図８における左側面１２２の上部）、右側面１２３（図８における右側面１２３の上部）、前頂面１２５及び後側面１２６によって接続部２２が形成される。
【００６９】
係合面１２８は、図８に示す前側面１２７から下方向に向かうように折り曲げられる。また、前側面１２７は、接続部２２の前部を閉塞するように折り曲げられる。このとき、係合部２３ａは、下側切欠部２２ｃと係合する（図２参照）。このような前側面１２７及び係合面１２８によって取付部２３が形成される。以上によって、外側部材２０の組み立てが完了する。
【００７０】
図９に示す組み立て前の内側部材１３０は、図９に示す一点鎖線で区画された複数の面を有する。より詳細には、組み立て前の内側部材１３０は、前記複数の面として、底面１３１、左後側面１３２、右後側面１３３、左前側面１３４、右前側面１３５、第一の係合面１３６、延出面１３７及び第二の係合面１３８を具備する。
【００７１】
底面１３１は、その左右方向幅が組み立て前の外側部材１２０の底面１２１の左右方向幅よりも短い点を除いて、前記底面１２１と略同一形状となるように形成される。底面１３１の後端部には、嵌合部３１の湾曲部３１ａが形成される。
【００７２】
左後側面１３２は、底面１３１の左後部に配置される。左後側面１３２は、前方向に延びると共に当該延びた端部が左方向に延びるような平面視略Ｌ字状に形成される。このような左方向に延びる部分は、突出部３２として形成される。また、左後側面１３２の右前部は、左前方向に延びるように形成される。
【００７３】
右後側面１３３は、底面１３１を挟んで左後側面１３２と左右対称となるように形成される。
【００７４】
左前側面１３４は、左後側面１３２の前方（底面１３１の左前部）に配置される。左前側面１３４の後端部は、左前方向に延びるように形成される。このような左前側面１３４と左後側面１３２との間には、嵌合部３１のスリット３１ｂが形成される。
【００７５】
右前側面１３５は、底面１３１を挟んで左前側面１３４と左右対称となるように形成される。このような右前側面１３５と右後側面１３３との間には、嵌合部３１のスリット３１ｂが形成される。
【００７６】
第一の係合面１３６は、左前側面１３４の左部に配置される。第一の係合面１３６は、その長手方向を左右方向に向けると共にその短手方向を前後方向に向けた平面視略矩形状に形成される。第一の係合面１３６の左後部には、補強部３３の切欠部３３ａが形成される。
【００７７】
延出面１３７は、第一の係合面１３６の前部に配置される。延出面１３７は、その長手方向を左右方向に向けると共にその短手方向を前後方向に向けた平面視略矩形状に形成される。
【００７８】
第二の係合面１３８は、延出面１３７の前部に配置される。第二の係合面１３８は、組み立て前の外側部材１２０の係合面１２８と略同一形状となるように形成される。第二の係合面１３８の左端部及び右端部には、補強部３３の係合部３３ｂが形成される。
【００７９】
図９及び図１０に示すように、このように構成される組み立て前の内側部材１３０は、底面１３１から立ち上がるように左後側面１３２、右後側面１３３、左前側面１３４及び右前側面１３５が折り曲げられる。このような左後側面１３２（図１０における左後側面１３２の下部）、右後側面１３３（図１０における右後側面１３３の下部）、左前側面１３４及び右前側面１３５によって嵌合部３１が形成される。
【００８０】
第一の係合面１３６は、前記折り曲げられた左前側面１３４及び右前側面１３５を左右に跨ぐように折り曲げられる。延出面１３７は、当該折り曲げられた第一の係合面１３６から立ち上がるように折り曲げられる（図４参照）。そして、第二の係合面１３８は、第一の係合面１３６と対向するように折り曲げられる（図４参照）。このような第一の係合面１３６、延出面１３７及び第二の係合面１３８によって補強部３３が形成される。これによって、内側部材３０の組み立てが完了する。
【００８１】
外側部材２０及び内側部材３０の組み立てが完了すると、内側部材３０のスリット３１ｂには、スモークアクリル板５０が嵌め込まれる。また、内側部材３０の当接部３２ａには、ミラー４０が載置される。その後、内側部材３０は、外側部材２０に前方向から挿入される。この際、外側部材２０の取付部２３は、接続部２２の前部を予め開放している。
【００８２】
内側部材３０は、係合部３３ｂが外側部材２０の接続部２２の下側切欠部２２ｃと係合するまで、外側部材２０に挿入される。これによって、図１及び図２に示すように、嵌合部３１は、筒状部２１に嵌め合わされる。また、ミラー４０は、当接部２２ａ・３２ａによって挟持される。また、スモークアクリル板５０は、外側部材２０の筒状部２１によってスリット３１ｂから抜けないように保持される。
【００８３】
内側部材３０が外側部材２０に挿入された後で、接続部２２の前部は、スマートフォンＳが取り付けられた取付部２３によって閉塞される。これによって、拡張現実提供装置１の組み立てが完了する。
【００８４】
以上のように、本実施形態に係る拡張現実提供装置１によれば、板状の部材（板状部材１１０）から外側部材２０及び内側部材３０を組み立てることができるため、筐体１０のコストを低減することができる。これによって、拡張現実提供装置１を安価に販売することが可能となり、プログラム等を学習する学生向けの教材として用い易くすることができる。
【００８５】
また、拡張現実提供装置１を組み立てる前の状態で使用者に提供することで、拡張現実提供装置１の構造を学習することができる。このため、本実施形態に係る拡張現実提供装置１は、学生向けの教材に適している。
【００８６】
また、使用者が所有するスマートフォンＳを取付部２３に取り付けることで、学生向けの教材として使用する場合に、使用者（学生）の興味を引き易くなるため、学習効率を向上させることができる。
【００８７】
また、本実施形態に係る筐体１０は、当接部２２ａ・３２ａによってミラー４０を挟持している。これによれば、ミラー４０のコストを低減することができる。具体的には、筐体１０が一つの部材からなる場合、筐体１０に対する相対移動を規制するための突起等をミラー４０に形成する（前記突起を形成する加工を施す）必要がある。これに対して、本実施形態に係る筐体１０は、前記突起がなくてもミラー４０を支持することができるため、前記突起を形成する加工を施す必要がなくなる（正面視矩形状のミラー４０をそのまま用いることができる）。これによって、ミラー４０の加工費を低減することができるため、ミラー４０のコストを低減することができる。
【００８８】
以上の如く、画像情報に応じてスマートフォンＳ（画像出力手段）から出射される画像光を反射するミラー４０（反射手段）と、前記ミラー４０で反射された光を後側（一側面側）へ反射させると共に、現実空間からの光を前側（他側面側）から前記後側へと透過させることで、前記画像光に対応する画像と前記現実空間とを重ね合わせるスモークアクリル板５０（重畳手段）と、前記ミラー４０及び前記スモークアクリル板５０を支持すると共に、前記現実空間からの光を前記スモークアクリル板５０の前下側面（一側面）に向けて導入する前側開口部２１ａ（第一の開口部）、及び前記スモークアクリル板５０の後上側面（後側面）を外部から視認可能とする後側開口部２１ｂ（第二の開口部）を有する筐体１０と、を具備するものである。
【００８９】
このように構成することにより、ミラー４０によって画像光に対応する画像情報が上下反転することを防止できる。これによって、反転（上下反転）に対する対策を低コストで済ませることができるため、コストを低減することができる。
【００９０】
また、前記筐体１０は、画像出力手段としてのスマートデバイスを着脱自在に取付可能な取付部２３を有するものである。
なお、本実施形態においてスマートデバイスには、スマートフォンＳ及びタブレットＰＣが含まれる。
【００９１】
このように構成することにより、使用者が拡張現実提供装置１を使用するときに、当該使用者が所有するスマートデバイス（スマートフォンＳやタブレットＰＣ等）を取付部２３に取り付ければよく、専用の画像出力手段を用いる必要がなくなる。これによって、コストを低減することができる。
【００９２】
また、前記筐体１０は、前端（一端）に前記前側開口部２１ａが形成されると共に、後端（他端）に前記後側開口部２１ｂが形成される筒状部２１を有する外側部材２０（第一の部材）と、前記スモークアクリル板５０を挟持することで当該スモークアクリル板５０の一方向への移動を規制するスリット３１ｂ（規制部）を有する内側部材３０（第二の部材）と、を具備し、前記スリット３１ｂは、前記一方向を前後方向（前記筒状部２１の軸線方向）に向けた状態で、当該筒状部２１に挿入されているものである。
【００９３】
このように構成することにより、スモークアクリル板５０に特別な加工（筐体１０に対する相対移動を規制するための突起等を形成する加工）を施す必要がなくなる。これによって、スモークアクリル板５０の加工費を低減することができるため、コストを低減することができる。
【００９４】
なお、本実施形態に係るスマートフォンＳは、本考案に係る画像出力手段の実施の一形態である。
また、本実施形態に係るミラー４０は、本考案に係る反射手段の実施の一形態である。
また、本実施形態に係るスモークアクリル板５０は、本考案に係る重畳手段の実施の一形態である。
また、本実施形態に係る前側開口部２１ａは、本考案に係る第一の開口部の実施の一形態である。
また、本実施形態に係る後側開口部２１ｂは、本考案に係る第二の開口部の実施の一形態である。
また、本実施形態に係る筐体１０は、本考案に係る支持部材の実施の一形態である。
また、本実施形態に係る外側部材２０は、本考案に係る第一の部材の実施の一形態である。
また、本実施形態に係るスリット３１ｂは、本考案に係る規制部の実施の一形態である。
また、本実施形態に係る内側部材３０は、本考案に係る第二の部材の実施の一形態である。
また、本実施形態における前後方向は、本考案に係る筒状部の軸線方向に対応する。
【００９５】
以上、本考案の実施形態を説明したが、本考案は上記構成に限定されるものではなく、実用新案登録請求の範囲に記載された考案の範囲内で種々の変更が可能である。
【００９６】
例えば、本実施形態に係る外側部材２０及び内側部材３０は、ダンボール紙によって構成されるものとしたが、本考案に係る筐体１０の材料は、これに限定されるものでない。本考案に係る筐体１０は、例えば、厚紙によって構成されるものであってもよい。また、本考案に係る筐体１０は、外側部材２０又は内側部材３０のいずれか一方がダンボール紙によって構成されると共に、他方が厚紙によって構成されるものであってもよい。
【００９７】
以上の如く、前記筐体１０は、折り曲げられたダンボール紙又は厚紙によって構成されるものである。
【００９８】
このように構成することにより、板状のダンボール紙又は厚紙から筐体１０を組み立てることができるため、筐体１０のコストを低減することができる。
【００９９】
また、本実施形態において画像出力手段は、スマートフォンＳであるものとしたが、本考案に係る画像出力手段は、これに限定されるものでない。本考案に係る画像出力手段は、例えば、タブレットＰＣであってもよい。また、本考案に係る画像出力手段は、カメラ機能の有無を問わない。すなわち、本考案に係る画像出力手段は、カメラ機能を有さない携帯ゲーム機等であってもよい。
【０１００】
また、本実施形態において重畳手段は、スモークアクリル板５０であるものとしたが、本考案に係る重畳手段は、これに限定されるものでない。本考案に係る重畳手段は、例えば、透明なアクリル板等であってもよい。
【０１０１】
また、本実施形態に係る拡張現実提供装置１は、使用者が使用する環境（明るさ）に応じてスモークアクリル板５０を適宜別のものと交換することが可能である。具体的には、暗い環境（暗い室内等）で使用する場合において、スモークアクリル板５０を透明なアクリル板に交換する。これによれば、前記透明なアクリル板で外光を多く透過させることができるため、暗い環境でも現実空間を視認し易くすることができる。
また、明るい環境（昼間の時間帯の屋外等）で使用する場合において、前記透明なアクリル板をスモークアクリル板５０に交換する。これによれば、スモークアクリル板５０で透過させる外光を減らすことができるため、明るい環境でもスマートフォンＳからの画像情報（画像光）を視認し易くするできる。
このように、スモークアクリル板５０の透過率や反射率は、拡張現実提供装置１を使用する環境に応じて適宜選択することができる。
【０１０２】
また、本実施形態に係る拡張現実提供装置１は、左部に赤色のフィルムが貼り付けられると共に、右部に青色のフィルムが貼り付けられた取付部材を具備していてもよい。当該取付部材は、筒状部２１に後方向から挿入される。これによって、使用者は、赤色のフィルムを介してスモークアクリル板５０を左目で視認することができる。また、使用者は、青色のフィルムを介してスモークアクリル板５０を右目で視認することができる。このような状態において、スマートフォンＳからアナグリフ方式の画像情報に応じた画像光を出射することで、現実空間に立体的な画像を重ね合わせることができる。
【０１０３】
また、本実施形態において、スモークアクリル板５０は、スリット３１ｂによって挟持されるものとしたが、本考案に係る重畳手段を支持するための手段は、これに限定されるものでない。すなわち、本考案に係る重畳手段は、例えば、外側部材２０及び内側部材３０に形成される当接部によって挟持される（外側部材と内側部材とで挟持される）ものであってもよい。
【０１０４】
また、本実施形態において、ミラー４０は、当接部２２ａ・３２ａによって挟持されるものとしたが、本考案に係る反射手段を支持するための手段は、これに限定されるものでない。すなわち、本考案に係る反射手段は、例えば、内側部材３０に形成されるスリットによって挟持されるものであってもよい。
【０１０５】
また、本実施形態に係るミラー４０は、スマートフォンＳからの画像光を反射するものとしたが、これに限定されるものでなく、現実空間からの光を反射するものであってもよい。具体的には、現実空間からの光がミラー４０で反射されてスモークアクリル板５０に導かれるように、かつ、スマートフォンＳからの画像光がスモークアクリル板５０を透過するように各部を配置することで、現実空間に画像情報を重ね合わせた仮想現実を提供することもできる。
【符号の説明】
【０１０６】
１      拡張現実提供装置
１０    筐体
２１ａ  前側開口部（第一の開口部）
２１ｂ  後側開口部（第二の開口部）
４０    ミラー（反射手段）
５０    スモークアクリル板（重畳手段）
Ｓ      スマートフォン（画像出力手段）
【図１】
0003202424.tif 000003
【図２】
0003202424.tif 000004
【図３】
0003202424.tif 000005
【図４】
0003202424.tif 000006
【図５】
0003202424.tif 000007
【図６】
0003202424.tif 000008
【図７】
0003202424.tif 000009
【図８】
0003202424.tif 000010
【図９】
0003202424.tif 000011
【図１０】
0003202424.tif 000012